(57)【要約】【課題】複数の発光素子及び基板を収納ケース内に収納した照明を取り付ける場合にも、収納ケースの熱膨張の影響を抑制し、収納ケースの密閉性を保つことができる水回り機器を提供する。【解決手段】浴室に設置される機器本体と、左右方向に延びた照明と、を備え、照明は、左右方向に並べて基板上に設けられた複数の発光素子と、基板を収納する内部空間を有する筒状の収納ケースと、収納ケースの左右方向の端部にそれぞれ取り付けられ、開口を水密に塞ぐ複数のキャップと、収納ケースの左右方向の端部のうち一端側に設けられたキャップ及び開口を介して内部空間に挿通され、基板と接続されることにより、複数の発光素子に電力を供給するための配線と、を有し、配線が挿通されたキャップは、照明の機器本体に対する左右方向への移動を規制するための被規制部を有することを特徴とする水回り機器である。【選択図】図１
2019122469.tif 000002
【特許請求の範囲】
【請求項１】
浴室に設置される機器本体と、
前記機器本体に取り付けられ、左右方向に延びた長尺形状の照明と、
を備え、
前記照明は、
前記左右方向に延びた長尺形状の基板と、
前記左右方向に並べて前記基板上に設けられた複数の発光素子と、
樹脂製であって、前記左右方向に延び、前記左右方向の端部に開口を有するとともに、前記複数の発光素子から照射された光を透過させる光透過性を少なくとも一部に有し、前記基板を収納する内部空間を有する筒状の収納ケースと、
前記収納ケースの前記左右方向の端部にそれぞれ取り付けられ、前記開口を水密に塞ぐ複数のキャップと、
前記収納ケースの前記左右方向の端部のうち一端側に設けられた前記キャップ及び開口を介して前記内部空間に挿通され、前記基板と接続されることにより、前記複数の発光素子に電力を供給するための配線と、
を有し、
前記配線が挿通された前記キャップは、前記照明の前記機器本体に対する前記左右方向への移動を規制するための被規制部を有し、
前記配線が挿通されていない前記キャップは、前記機器本体に対して前記左右方向に固定されていないことを特徴とする水回り機器。
【請求項２】
前記機器本体は、前記収納ケースの少なくとも一部を覆い、前記前後方向及び前記下方への移動を係合によって規制した状態で前記照明を支持する取付部材を有し、
前記取付部材は、
前記機器本体に取り付けられる取付部と、
前記被規制部とともに前記照明の前記機器本体に対する前記左右方向への移動を規制する規制部と、
を有することを特徴とする請求項１記載の水回り機器。
【請求項３】
前記被規制部は、前記配線が挿通された前記キャップの表面から突出した凸部であり、
前記規制部は、前記凸部と係合して前記照明の前記機器本体に対する前記左右方向への移動を規制する凹部であることを特徴とする請求項２記載の水回り機器。
【請求項４】
前記凸部と前記凹部とが係合した状態において、前記凸部と前記凹部との間には、上下方向の空隙が設けられていることを特徴とする請求項３記載の水回り機器。
【請求項５】
前記取付部材は、前記収納ケースの上面を覆う上面部と、前記上面部から上方に向かって延出した延出部と、を有し、
前記取付部は、前記延出部に設けられていることを特徴とする請求項２〜４のいずれか１つに記載の水回り機器。
【発明の詳細な説明】
【技術分野】
【０００１】
本発明の態様は、一般的に、水回り機器に関する。
【背景技術】
【０００２】
浴室に設置される水回り機器に対して、照明を取り付けることで、より高意匠で且つ高級感のある浴室とすることが知られている（例えば、特許文献１）。特に、洗面器などを載置する洗面カウンターや、大型の水栓装置など、左右方向の幅の大きい水回り機器に対しては、左右方向に延びた長尺形状の照明を取り付けることが、高意匠を目指す上で好ましい。
【０００３】
こうした水回り機器において、長尺形状の基板の上に、複数の発光素子（例えば発光ダイオード）を並べて設けることにより、長尺形状の照明を形成することが考えられている。複数の発光素子を用いた照明では、蛍光灯などを用いた照明と比べて、発光効率や製品寿命を向上させることができる。
【０００４】
一方で、浴室に設置される水回り機器に照明を設ける場合には、照明の電気部品の被水に注意する必要がある。そこで、光透過性を有する収納ケース内に、複数の発光素子が設けられた基板を収納し、各発光素子及び基板を収納ケース内に密閉することが提案されている。
【０００５】
しかしながら、各発光素子及び基板を収納ケース内に収納する場合には、収納ケースの熱膨張を考慮する必要がある。例えば、発光素子は、使用時に熱を放出するため、この熱によって収納ケース自体が膨張してしまう恐れがある。こうした収納ケースの膨張を適切に吸収できないと、収納ケースや収納ケースを支持する部材などに意図しない力が加わってしまう。そして、このような力が収納ケースに加わると、収納ケースの密閉部分に隙間が生じたり、収納ケースが破損したりし、収納ケースの密閉性の低下を招いてしまう可能性が生じる。
【先行技術文献】
【特許文献】
【０００６】
【特許文献１】特開２００３−７０６７３号公報
【発明の概要】
【発明が解決しようとする課題】
【０００７】
本発明は、かかる課題の認識に基づいてなされたものであり、複数の発光素子及び基板を収納ケース内に収納した照明を取り付ける場合にも、収納ケースの熱膨張の影響を抑制し、収納ケースの密閉性を保つことができる水回り機器を提供することを目的とする。
【課題を解決するための手段】
【０００８】
第１の発明は、浴室に設置される機器本体と、前記機器本体に取り付けられ、左右方向に延びた長尺形状の照明と、を備え、前記照明は、前記左右方向に延びた長尺形状の基板と、前記左右方向に並べて前記基板上に設けられた複数の発光素子と、樹脂製であって、前記左右方向に延び、前記左右方向の端部に開口を有するとともに、前記複数の発光素子から照射された光を透過させる光透過性を少なくとも一部に有し、前記基板を収納する内部空間を有する筒状の収納ケースと、前記収納ケースの前記左右方向の端部にそれぞれ取り付けられ、前記開口を水密に塞ぐ複数のキャップと、前記収納ケースの前記左右方向の端部のうち一端側に設けられた前記キャップ及び開口を介して前記内部空間に挿通され、前記基板と接続されることにより、前記複数の発光素子に電力を供給するための配線と、を有し、前記配線が挿通された前記キャップは、前記照明の前記機器本体に対する前記左右方向への移動を規制するための被規制部を有し、前記配線が挿通されていない前記キャップは、前記機器本体に対して前記左右方向に固定されていないことを特徴とする水回り機器である。
【０００９】
この水回り機器によれば、配線が挿通されたキャップが、照明の機器本体に対する左右方向への移動を規制するための被規制部を有し、配線が挿通されていないキャップが、機器本体に対して左右方向に固定されていないので、発光素子の熱などによって収納ケース自体が膨張してしまった場合にも、この熱膨張による収納ケースの延長量を、収納ケースの配線が挿通されていないキャップ側に逃がすことができる。すなわち、発光素子の熱などによって収納ケース自体が膨張した場合にも、収納ケースやキャップに意図しない力が加わることを抑制することができ、収納ケースの密閉性を保った状態で、この熱膨張による応力発生を抑制することができる。従って、複数の発光素子及び基板を収納ケース内に収納した照明を取り付ける場合にも、収納ケースの熱膨張の影響を抑制し、収納ケースの密閉性を保つことができる水回り機器を提供することができる。
【００１０】
第２の発明は、第１の発明において、前記機器本体は、前記収納ケースの少なくとも一部を覆い、前記前後方向及び前記下方への移動を係合によって規制した状態で前記照明を支持する取付部材を有し、前記取付部材は、前記機器本体に取り付けられる取付部と、前記被規制部とともに前記照明の前記機器本体に対する前記左右方向への移動を規制する規制部と、を有することを特徴とする水回り機器である。
【００１１】
この水回り機器によれば、収納ケースを機器本体に取り付ける取付部材に設けられた規制部と被規制部とによって照明の左右方向への移動を規制することで、収納ケースの熱膨張の影響を抑制し、収納ケースの密閉性を保つことができつつも、しっかりと照明の荷重を支持した状態で、照明を機器本体に取り付けることができる。
【００１２】
第３の発明は、第２の発明において、前記被規制部は、前記配線が挿通された前記キャップの表面から突出した凸部であり、前記規制部は、前記凸部と係合して前記照明の前記機器本体に対する前記左右方向への移動を規制する凹部であることを特徴とする水回り機器である。
【００１３】
この水回り機器によれば、例えばネジなどを用いて照明の左右方向への移動を規制する場合などと比べて、部品点数を少なくすることができ、且つ施工性を向上させることができる。さらには、ネジなどで固定する場合と比べて、左右方向への移動の規制に遊びを持たせることができ、配線が挿通されたキャップ自体の熱膨張の影響なども抑制することができる。
【００１４】
第４の発明は、第３の発明において、前記凸部と前記凹部とが係合した状態において、前記凸部と前記凹部との間には、上下方向の空隙が設けられていることを特徴とする水回り機器である。
【００１５】
この水回り機器によれば、収納ケースや配線が挿通されたキャップの上下方向の熱膨張の影響も適切に抑制することができる。
【００１６】
第５の発明は、第２〜第４のいずれか１つの発明において、前記取付部材は、前記収納ケースの上面を覆う上面部と、前記上面部から上方に向かって延出した延出部と、を有し、前記取付部は、前記延出部に設けられていることを特徴とする水回り機器である。
【００１７】
この水回り機器によれば、取付部材の前方側や後方側に取付部を設ける場合と比べて、照明及び取付部材の取り付けの自由度を高めることができる。例えば、取付部材の前方側に取付部を設け、取付部材の右側に配線が挿通されたキャップを配置した場合に、配線が挿通されたキャップを機器本体に対して左側に向けると、取付部が後方を向いてしまうことになる。このため、この場合には、配線が挿通されたキャップを機器本体に対して右側にしか取り付けることができなくなってしまう。例えば、配線が挿通されたキャップを右向きに取り付けるための取付部材と左向きに取り付けるための取付部材とを用意しなければならず、製造コストの増加などを招いてしまう。これに対して、上方に向かって延出した延出部に取付部を設けた場合には、配線が挿通されたキャップを右向きに向けた場合にも左向きに向けた場合にも、取付部は常に上方に位置しているため、配線が挿通されたキャップを機器本体に対して右向きにも左向きにも取り付けることが可能となる。このように、配線が挿通されたキャップを機器本体に対して右側に配置したい場合にも左側に配置したい場合にも、照明及び取付部材を共通に用いることができ、製造コストの削減などを図ることができる。
【発明の効果】
【００１８】
本発明の態様によれば、複数の発光素子及び基板を収納ケース内に収納した照明を取り付ける場合にも、収納ケースの熱膨張の影響を抑制し、収納ケースの密閉性を保つことができる水回り機器が提供される。
【図面の簡単な説明】
【００１９】
【図１】実施形態に係る浴室を模式的に表す斜視図である。
【図２】実施形態に係る水栓装置の一部を模式的に表す正面図である。
【図３】実施形態に係る水栓装置を模式的に表す分解斜視図である。
【図４】実施形態に係る照明を模式的に表す分解斜視図である。
【図５】実施形態に係る照明を模式的に表す説明図である。
【図６】図６（ａ）及び図６（ｂ）は、実施形態に係る収納ケース及びキャップを模式的に表す説明図である。
【図７】実施形態に係る収納ケース及びキャップを模式的に表す断面図である。
【図８】実施形態に係る水栓装置の機器本体及び取付部材の一部を模式的に表す斜視図である。
【図９】実施形態に係る水栓装置の機器本体及び取付部材の一部を模式的に表す断面図である。
【図１０】図１０（ａ）及び図１０（ｂ）は、実施形態に係る照明及び取付部材を模式的に表す説明図である。
【図１１】実施形態に係る照明及び取付部材を模式的に表す断面図である。
【図１２】実施形態に係る水栓装置の変形例を模式的に表す説明図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、実施形態に係る浴室を模式的に表す斜視図である。  
図１に表したように、浴室２は、浴槽３と、洗い場床４と、壁パネル５と、水栓装置１０（水回り機器）と、洗面カウンター２０（水回り機器）と、を備えている。洗い場床４は、浴槽３に隣接して設けられる。浴室２は、例えば、複数の壁パネル５を有する。各壁パネル５は、浴槽３及び洗い場床４を囲むように設けられる。浴室２は、例えば、浴槽３、洗い場床４、及び周囲の各壁パネル５などをユニット化した、いわゆるユニットバスやシステムバスなどである。浴室２は、建築躯体の内部に設置して使用される。
【００２１】
水栓装置１０は、機器本体１２と、照明１４と、を備えている。機器本体１２は、浴室２に設置される。機器本体１２は、例えば、壁パネル５の壁面５ａに取り付けられる。照明１４は、機器本体１２に取り付けられる。照明１４は、左右方向に延びた長尺形状である。例えば、機器本体１２が壁面５ａに取り付けられている場合、左右方向とは、壁面５ａと平行、且つ水平な方向である。
【００２２】
洗面カウンター２０は、機器本体２２と、照明２４と、を備えている。機器本体２２は、浴室２に設置される。機器本体２２は、例えば、壁パネル５の壁面５ａに取り付けられる。照明２４は、機器本体２２に取り付けられる。照明２４は、左右方向に延びた長尺形状である。
【００２３】
すなわち、この例では、水栓装置１０と洗面カウンター２０とが水回り機器として機能する。水回り機器は、水栓装置１０及び洗面カウンター２０に限ることなく、浴室２に設置して使用される任意の機器でよい。また、水栓装置１０及び洗面カウンター２０などの水回り機器の設置位置は、壁パネル５の壁面５ａに限ることなく、例えば、洗い場床４の床面４ａや天井面など、浴室２の任意の位置でよい。
【００２４】
水栓装置１０の機器本体１２は、左右方向に延び、シャンプーボトルなどの物品を載置可能な棚形状の上面１２ａを有する。このように、水栓装置１０は、湯水を吐出する水栓として機能するとともに、物品を載置可能なカウンターとしても機能する。水栓装置１０は、換言すれば、水栓カウンターである。これにより、浴室２の使い勝手を向上させることができる。
【００２５】
照明１４は、例えば、機器本体１２の下方に向かって光（可視光）を照射する。照明１４は、例えば、左右方向に延びた横長状の光を照射する、いわゆるライン照明である。これにより、機器本体１２の下方の空間を明るくすることができる。例えば、機器本体１２から吐水された吐水流などを明るくすることができる。
【００２６】
洗面カウンター２０の機器本体２２は、左右方向に延び、洗面器などの物品を載置可能な棚形状の上面２２ａを有する。機器本体２２の上面２２ａは、少なくとも洗面器の載置を可能にする。洗面カウンター２０（機器本体２２）は、水栓装置１０の下方に配置される。これにより、洗面カウンター２０は、水栓装置１０から吐水された湯水を洗面器で受けられるようにする。洗面カウンター２０は、例えば、洗い場床４に置かれた風呂椅子などに腰掛けた状態の使用者に対し、載置した洗面器などが使用し易い高さに設けられる。水栓装置１０の照明１４は、例えば、下方に向かって光を照射することにより、機器本体１２から吐水された吐水流を明るくするとともに、洗面カウンター２０の機器本体２２の上面を明るくする。
【００２７】
照明２４は、例えば、機器本体２２の下方に向かって光を照射する。より詳しくは、照明２４は、機器本体２２の下方の床面４ａに向かって光を照射する。これにより、洗面カウンター２０の下方の空間及び床面４ａなどを明るくすることができる。なお、照明１４、２４の光の照射方向は、下方に限ることなく、任意の方向でよい。
【００２８】
図２は、実施形態に係る水栓装置の一部を模式的に表す正面図である。  
図２に表したように、水栓装置１０の機器本体１２は、例えば、吐水部４１、シャワー接続口４２、吐水口操作部４３、シャワー操作部４４、温度調節部４５、流量調節部４６、及び止水栓４７、４８などをさらに有する。
【００２９】
吐水部４１は、機器本体１２の下部に設けられ、湯水を吐水する吐水口４１ａを有する。吐水部４１は、換言すれば、スパウトである。吐水口４１ａは、下方を向いて設けられている。吐水部４１は、下方に向けて湯水を吐水する。これにより、照明１４から照射された光によって、吐水部４１から吐水された湯水を照らすことができる。
【００３０】
シャワー接続口４２は、機器本体１２の下部に設けられている。シャワー接続口４２は、可撓性を有するホース５０と接続されるとともに、ホース５０を介してシャワーヘッド５２と接続される。シャワーヘッド５２は、より詳しくは、ハンドシャワーである。
【００３１】
機器本体１２は、例えば、天井に取り付けて使用されるオーバーヘッドシャワーと接続してもよい。機器本体１２は、ハンドシャワー及びオーバーヘッドシャワーのいずれか一方のみと接続してもよいし、ハンドシャワー及びオーバーヘッドシャワーの双方と接続してもよい。
【００３２】
機器本体１２をオーバーヘッドシャワーと接続する場合には、シャワー接続口４２を用いてもよいし、別の接続口を介して接続してもよい。機器本体１２をオーバーヘッドシャワーと接続する場合には、例えば、機器本体１２の背面側に接続口を設け、壁パネル５と建築躯体との間の空間を利用して機器本体１２をオーバーヘッドシャワーとを接続することが好ましい。これにより、配管などが浴室２内に露出することを抑制し、浴室２の見栄えを向上させることができる。
【００３３】
吐水口操作部４３、シャワー操作部４４、温度調節部４５、及び流量調節部４６は、機器本体１２の前面部に設けられている。但し、吐水口操作部４３、シャワー操作部４４、温度調節部４５、及び流量調節部４６の配置は、上記に限ることなく、これらを操作し易い機器本体１２の任意の位置でよい。
【００３４】
吐水口操作部４３及びシャワー操作部４４は、例えば、押しボタン式の操作部である。吐水部４１から湯水が吐水されていない状態で吐水口操作部４３を押圧操作することにより、吐水部４１の吐水口４１ａから湯水が吐水される。そして、吐水部４１の吐水口４１ａから湯水が吐水されている状態で吐水口操作部４３を押圧操作することにより、吐水部４１の吐水口４１ａからの湯水の吐水が停止される。
【００３５】
同様に、シャワーヘッド５２から湯水が吐水されていない状態でシャワー操作部４４を押圧操作することにより、シャワーヘッド５２から湯水が吐水される。そして、シャワーヘッド５２から湯水が吐水されている状態でシャワー操作部４４を押圧操作することにより、シャワーヘッド５２からの湯水の吐水が停止される。
【００３６】
このように、水栓装置１０では、吐水口操作部４３及びシャワー操作部４４の操作により、吐水部４１及びシャワーヘッド５２から選択的に湯水を吐止水することができる。なお、吐水口操作部４３及びシャワー操作部４４は、押しボタン式の操作部に限ることなく、吐止水の切り替えを制御可能な任意の操作部でよい。吐水口操作部４３及びシャワー操作部４４は、例えば、回転式のハンドルやレバーなどでもよい。
【００３７】
温度調節部４５及び流量調節部４６は、例えば、回転式のハンドルである。温度調節部４５は、吐水部４１及びシャワーヘッド５２から吐水される湯水の温度を調節可能とする。水栓装置１０は、図示を省略した給水管及び給湯管と接続される。温度調節部４５は、給水管から供給される水と給湯管から供給されるお湯との混合比を調節することにより、吐水部４１及びシャワーヘッド５２から吐水される湯水の温度を調節する。
【００３８】
流量調節部４６は、吐水部４１及びシャワーヘッド５２から吐水される湯水の流量を調節可能とする。これにより、水栓装置１０では、温度調節部４５及び流量調節部４６を操作することで、使用者の所望する温度及び流量の湯水を吐水部４１及びシャワーヘッド５２から吐水することができる。
【００３９】
なお、温度調節部４５及び流量調節部４６は、回転式のハンドルに限ることなく、湯水の温度や流量を調節可能な任意の操作部でよい。また、この例では、温度調節部４５と流量調節部４６とを設けているが、例えば、吐水される湯水の温度及び流量を１つの操作部で調節できるようにしてもよい。
【００４０】
止水栓４７、４８は、機器本体１２の下部に設けられている。止水栓４７、４８は、吐水部４１及びシャワーヘッド５２に送水される湯水を遮断する。止水栓４７は、例えば、給水管から吐水部４１及びシャワーヘッド５２へと至る経路上に設けられ、給水管から吐水部４１及びシャワーヘッド５２への水の供給を遮断する。止水栓４８は、例えば、給湯管から吐水部４１及びシャワーヘッド５２へと至る経路上に設けられ、給湯管から吐水部４１及びシャワーヘッド５２への湯の供給を遮断する。
【００４１】
止水栓４７、４８は、吐水部４１及びシャワーヘッド５２への送水を可能にする状態と、吐水部４１及びシャワーヘッド５２への送水を遮断した状態と、を切り替えるための操作部を有する。止水栓４７、４８は、例えば、操作部を下方に向けた状態で、機器本体１２の下部に設けられる。
【００４２】
例えば、吐水部４１側への吐水とシャワーヘッド５２側への吐水とを切り替える切替弁を設けるとともに、切替弁で選択された吐水部４１又はシャワーヘッド５２からの吐止水、流量の調節、及び温度の調節を１つの操作部で操作できるようにしてもよい。水栓装置１０及び機器本体１２の構成は、上記に限ることなく、少なくとも吐水部４１からの吐止水を切り替え可能な任意の構成でよい。
【００４３】
図３は、実施形態に係る水栓装置を模式的に表す分解斜視図である。  
図３に表したように、水栓装置１０の機器本体１２は、例えば、天板６０と、複数の支持体６２と、下側カバー６４と、を有する。
【００４４】
天板６０は、左右方向に延びた略矩形の平板状の部材である。天板６０は、機器本体１２の上面１２ａを形成する。水栓装置１０は、天板６０の上に、シャンプーのボトルなどの物品を載置可能とする。
【００４５】
複数の支持体６２は、左右方向に並べて壁パネル５の壁面５ａに取り付けられる。各支持体６２は、天板６０を支持する。各支持体６２は、例えば、天板６０を壁パネル５から僅かに離間させた状態で支持する。換言すれば、各支持体６２は、機器本体１２の上面１２ａの後端を壁パネル５の壁面５ａから離間させる。これにより、使用者に対して水栓装置１０を浮いているように見せることができ、水栓装置１０のデザイン性を向上させることができる。従って、浴室２の見栄えを向上させることができる。
【００４６】
吐水口操作部４３、シャワー操作部４４、温度調節部４５、及び流量調節部４６などの水栓機能部は、例えば、補強板などを介して各支持体６２に支持される。
【００４７】
下側カバー６４は、各支持体６２の下方に取り付けられ、天板６０の下方を覆う。すなわち、下側カバー６４は、各支持体６２や水栓機能部などが下方に露出することを抑制する。
【００４８】
また、図３に表したように、機器本体１２は、照明１４を支持する取付部材１６を有する。
【００４９】
図４は、実施形態に係る照明を模式的に表す分解斜視図である。  
図５は、実施形態に係る照明を模式的に表す説明図である。  
図４及び図５に表したように、照明１４は、例えば、発光部７０と、収納ケース７２と、複数の（一対の）キャップ７４、７６と、放熱板７８と、を有する。発光部７０は、左右方向に延びた横長状である。発光部７０は、左右方向に延びた長尺形状の基板８０と、左右方向に並べて基板８０上に設けられた複数の発光素子８２と、を有する。基板８０は、例えば、左右方向に延びた平板状である。各発光素子８２は、少なくとも左右方向に並べて配置される。これにより、基板８０及び各発光素子８２は、左右方向に直線状に延びた幅広な光を照射する。
【００５０】
各発光素子８２には、例えば、ＬＥＤ（Light Emitting Diode）、ＬＤ（Laser Diode）、又はＯＬＥＤ（Organic Light Emitting Diode）などが用いられる。発光素子８２は、上記に限ることなく、光を照射する任意の発光素子でよい。
【００５１】
収納ケース７２は、左右方向に延び、基板８０を収納する内部空間ＳＰを有する筒状である。収納ケース７２は、左右方向に連続した筒状である。収納ケース７２は、例えば、発光部７０の左右方向の両端間に亘って連続した筒状である。収納ケース７２は、例えば、断面略矩形の筒状である。収納ケース７２は、左右方向の端部に開口７２ａ、７２ｂを有する。
【００５２】
収納ケース７２は、樹脂製であり、複数の発光素子８２から照射された光を透過させる光透過性を少なくとも一部に有する。各発光素子８２から照射された光は、収納ケース７２を透過して外部に出射される。
【００５３】
この例では、収納ケース７２の全体が同じ材料で形成され、収納ケース７２の全体が光透過性を有している。発光部７０は、下方に向けて光を照射するように、基板８０の各発光素子８２の設けられた面を下方に向けた状態で収納ケース７２内に設けられる。この場合、収納ケース７２は、各発光素子８２から照射された光が当たる下端部において、少なくとも光透過性を有していればよい。すなわち、収納ケース７２は、各発光素子８２の光の照射方向において、少なくとも光透過性を有していればよい。
【００５４】
収納ケース７２には、例えば、ポリカーボネイト樹脂、ポリプロピレン樹脂、ＡＢＳ（Acrylonitrile‐Butadiene‐Styrene）樹脂、アクリル樹脂などの透光性を有する樹脂材料が用いられる。これにより、例えば、押出成形などによって収納ケース７２を容易に成形することができる。
【００５５】
キャップ７４は、収納ケース７２の左右方向の一端に取り付けられ、収納ケース７２の左右方向の一方の開口７２ａを水密に塞ぐ。キャップ７６は、収納ケース７２の左右方向の他端に取り付けられ、収納ケース７２の左右方向の他方の開口７２ｂを水密に塞ぐ。このように、複数のキャップ７４、７６は、収納ケース７２の左右方向の端部にそれぞれ取り付けられ、開口７２ａ、７２ｂを水密に塞ぐ。
【００５６】
これにより、収納ケース７２及び各キャップ７４、７６は、シール性を有する空間を形成する。収納ケース７２及び各キャップ７４、７６は、この空間内に発光部７０を収納する。これにより、発光部７０の被水が抑制される。収納ケース７２は、発光部７０などを挿通するための開口を左右方向の少なくとも一方の端部に有していればよい。収納ケース７２の他端側の開口７２ｂは、必ずしも設けられていなくてもよい。他端側のキャップ７６は、必要に応じて設けられ、省略可能である。
【００５７】
放熱板７８は、基板８０（発光部７０）を支持する。放熱板７８は、例えば、基板８０の各発光素子８２が設けられた表面と反対側の面に接触することにより、基板８０と熱的に結合する。これにより、放熱板７８は、各発光素子８２の点灯にともなって発生する熱を放熱する。放熱板７８には、例えば、アルミニウムや銅などの熱伝導率の高い金属材料などが用いられる。基板８０は、放熱板７８に支持された状態で、収納ケース７２内に収納される。放熱板７８は、例えば、収納ケース７２内の所定の位置に発光部７０を支持する支持体としても機能する。例えば、発光素子８２に有機ＥＬ素子などの発熱量の少なくい素子を用いる場合などには、必ずしも放熱板７８を設けなくてもよい。
【００５８】
照明１４は、例えば、配線８４と、配線保護管８６と、接続部材８８と、ホースバンド９０、９２と、虫侵入抑制部材９４と、をさらに備える。
【００５９】
配線８４は、収納ケース７２の左右方向の端部のうちの一端に設けられたキャップ７４及び開口７２ａを介して収納ケース７２の内部空間ＳＰに挿通され、基板８０と接続されることにより、複数の発光素子８２に電力を供給する。
【００６０】
配線保護管８６は、配線８４を覆う。配線保護管８６の一端は、キャップ７４に接続される。配線保護管８６の他端は、壁パネル５に接続される。これにより、配線保護管８６は、例えば、収納ケース７２の内部空間ＳＰと、壁パネル５の裏側の空間と、を連通させる。
【００６１】
キャップ７４は、配線保護管８６を接続するための接続口７４ａと、収納ケース７２を接続するための接続口７４ｂと、接続口７４ａと接続口７４ｂとを接続する管路７４ｃと、を有する。キャップ７４は、例えば、略Ｌ字状に屈曲した配管状である。キャップ７４は、接続口７４ｂを収納ケース７２の一方の開口７２ａに挿し込むことにより、収納ケース７２の一方の開口７２ａを水密に塞ぐとともに、内部の管路７４ｃを筒状の収納ケース７２の内部空間ＳＰと連通させる。
【００６２】
配線保護管８６の一端は、接続口７４ａに接続される。これにより、配線保護管８６の内部の空間が、収納ケース７２の内部空間ＳＰと連通する。
【００６３】
接続部材８８は、配線保護管８６と壁パネル５との接続に用いられる。接続部材８８は、筒状の本体部８８ａと、本体部８８ａの外周面から径を大きくするように外側に突出したフランジ部８８ｂと、を有する。
【００６４】
壁パネル５には、接続部材８８の本体部８８ａの形状に対応した開口が設けられる。接続部材８８は、浴室２の室内側から本体部８８ａの後端部分を壁パネル５の開口に挿通する。そして、接続部材８８は、フランジ部８８ｂで開口を塞ぎ、フランジ部８８ｂの部分で壁パネル５にネジ止めされることなどにより、壁パネル５に取り付けられる。
【００６５】
配線保護管８６の他端は、接続部材８８の本体部８８ａに接続される。これにより、収納ケース７２の内部空間ＳＰから、キャップ７４の管路７４ｃ、配線保護管８６、及び接続部材８８の本体部８８ａを介して壁パネル５の裏側の空間へと至る経路が形成され、配線保護管８６によって、収納ケース７２の内部空間ＳＰと壁パネル５の裏側の空間とが連通する。
【００６６】
配線保護管８６は、可撓性を有する。配線保護管８６には、例えば、ゴムチューブや金属製のフレキシブルホースなどが用いられる。但し、配線保護管８６は、必ずしも可撓性を有していなくてもよい。配線保護管８６は、金属や樹脂などを用いたリジッドな配管などでもよい。
【００６７】
ホースバンド９０は、配線保護管８６とキャップ７４の接続口７４ａとの接続部に取り付けられ、配線保護管８６の上から配線保護管８６及び接続口７４ａを締め付けることにより、配線保護管８６の抜けを抑制する。ホースバンド９２は、配線保護管８６と接続部材８８の本体部８８ａとの接続部に取り付けられ、配線保護管８６の上から配線保護管８６及び本体部８８ａを締め付けることにより、配線保護管８６の抜けを抑制する。
【００６８】
配線８４は、配線保護管８６内に挿通され、壁パネル５の裏側の空間に入り込む。より詳しくは、配線８４は、収納ケース７２、キャップ７４、配線保護管８６、及び接続部材８８を介して、壁パネル５の裏側の空間に入り込む。
【００６９】
配線８４の一端は、収納ケース７２内において基板８０に接続される。配線８４の他端は、壁パネル５の裏側の空間内に位置する。配線８４の他端は、例えば、壁パネル５の裏側の空間内において、制御部９６に接続される。制御部９６は、配線８４を介して基板８０に電力を供給する。各発光素子８２は、例えば、制御部９６からの電力の供給に応じて点灯し、制御部９６からの電力の供給の停止に応じて消灯する。
【００７０】
虫侵入抑制部材９４は、収納ケース７２の内部空間ＳＰと壁パネル５の裏側の空間との間の経路上に設けられる。虫侵入抑制部材９４は、収納ケース７２の内部空間ＳＰと壁パネル５の裏側の空間との間での空気の流動を許容しつつ、壁パネル５の裏側から虫の侵入を抑制可能な複数の孔９４ａを有する。
【００７１】
虫侵入抑制部材９４は、弾性を有する。虫侵入抑制部材９４には、例えば、ナイロンなどの化学繊維を押し固めた不織布が用いられる。図５では、便宜的に孔９４ａを直線状に図示している。虫侵入抑制部材９４に不織布を用いた場合、孔９４ａは、実際には、押し固められた繊維の隙間を縫うように延びる複雑な形状である。
【００７２】
虫侵入抑制部材９４は、必ずしも弾性を有していなくてもよい。虫侵入抑制部材９４は、例えば、複数の貫通孔が設けられた板状又はブロック状の硬質な部材でもよい。あるいは、虫侵入抑制部材９４は、薄いフィルム状の部材などでもよい。虫侵入抑制部材９４の形状及び材料は、空気を通しつつ、虫の侵入を抑制可能な任意の形状及び材料でよい。孔９４ａの空気の通る方向と直交する方向の幅（開口幅）は、例えば、１μｍ以上２ｍｍ以下である。これにより、適切に空気を通しつつ、点灯時に収納ケース７２の外側から影となって視認されてしまうような比較的大きなサイズの虫の侵入を適切に抑制することができる。
【００７３】
虫侵入抑制部材９４は、例えば、収納ケース７２の内部空間ＳＰと壁パネル５の裏側の空間との間の経路のうち、配線保護管８６のみによって囲まれた空間よりも収納ケース７２側又は壁パネル５側に設けられる。
【００７４】
虫侵入抑制部材９４は、例えば、キャップ７４の接続口７４ａ内に設けられる。これとは反対に、例えば、接続部材８８の本体部８８ａ内に虫侵入抑制部材９４を設けてもよい。あるいは、配線保護管８６のみによって囲まれた空間内に虫侵入抑制部材９４を設けてもよい。虫侵入抑制部材９４の位置は、収納ケース７２の内部空間ＳＰと壁パネル５の裏側の空間との間の経路上の任意の位置でよい。
【００７５】
図６（ａ）及び図６（ｂ）は、実施形態に係る収納ケース及びキャップを模式的に表す説明図である。  
図７は、実施形態に係る収納ケース及びキャップを模式的に表す断面図である。  
図７は、図６（ｂ）のＡ１−Ａ２線断面を模式的に表す。  
図６（ａ）、図６（ｂ）、及び図７に表したように、キャップ７４は、係合部７４ｄを有し、収納ケース７２は、キャップ７４の係合部７４ｄと係合する被係合部７２ｃを有する。
【００７６】
係合部７４ｄは、接続口７４ｂの側面に設けられている。被係合部７２ｃは、収納ケース７２の開口７２ａに接続口７４ｂを挿し込んだ際に、係合部７４ｄと係合する位置に設けられている。これにより、収納ケース７２の開口７２ａに接続口７４ｂを挿し込むことで、係合部７４ｄと被係合部７２ｃとが係合し、キャップ７４の収納ケース７２からの抜けが抑制される。すなわち、係合部７４ｄと被係合部７２ｃとの係合により、キャップ７４が収納ケース７２に取り付けられ、収納ケース７２の開口７２ａが、水密に塞がれる。
【００７７】
この例において、係合部７４ｄは、突起状であり、被係合部７２ｃは、貫通孔状である。これとは反対に、係合部７４ｄを凹状とし、被係合部７２ｃを凸状としてもよい。また、この例では、４つの係合部７４ｄと、４つの被係合部７２ｃと、を設けている。係合部７４ｄ及び被係合部７２ｃの数は、４つに限ることなく、キャップ７４を収納ケース７２に適切に取り付けることができる任意の数でよい。なお、キャップ７６の収納ケース７２への取付方法は、キャップ７４の取付方法と同様であるから、詳細な説明は省略する。
【００７８】
図８は、実施形態に係る水栓装置の機器本体及び取付部材の一部を模式的に表す斜視図である。  
図９は、実施形態に係る水栓装置の機器本体及び取付部材の一部を模式的に表す断面図である。  
図９は、図８のＢ１−Ｂ２線断面を模式的に表す。  
図８及び図９に表したように、取付部材１６は、収納ケース７２の少なくとも一部を覆い、前後方向及び下方への移動を係合によって規制した状態で照明１４を支持する。このように、照明１４は、前後方向及び下方への移動を係合によって規制された状態で、機器本体１２に取り付けられる。照明１４は、左右方向及び上方への移動に自由度を持たせた状態で、機器本体１２に取り付けられる。
【００７９】
取付部材１６は、第１側面部１６ａと、第２側面部１６ｂと、上面部１６ｃと、を有する。第１側面部１６ａは、収納ケース７２の前面を覆う。第２側面部１６ｂは、収納ケース７２の後面を覆う。上面部１６ｃは、収納ケース７２の上面を覆う。取付部材１６は、換言すれば、下方に開口した断面略Ｕ字状の部材である。取付部材１６は、第１側面部１６ａを収納ケース７２の前面に係合させ、第２側面部１６ｂを収納ケース７２の後面に係合させることにより、収納ケース７２を支持する。換言すれば、取付部材１６は、第１側面部１６ａ及び第２側面部１６ｂで収納ケース７２を前後に挟むことにより、収納ケース７２を支持する。これにより、前述のように、取付部材１６によって、前後方向及び下方への移動を係合によって規制した状態で、照明１４を機器本体１２に取り付けることができる。取付部材１６の構成は、上記に限ることなく、前後方向及び下方への移動を係合によって規制した状態で、照明１４を機器本体１２に取り付けることができる任意の構成でよい。
【００８０】
取付部材１６は、延出部１６ｄと、取付部１６ｅと、をさらに有する。延出部１６ｄは、上面部１６ｃから上方に向かって延出している。延出部１６ｄは、上面部１６ｃの前端（第１側面部１６ａ）よりも後方、かつ上面部１６ｃの後端（第２側面部１６ｂ）よりも前方に配置されている。延出部１６ｄは、例えば、上面部１６ｃの前後方向の略中央に配置される。取付部材１６は、左右方向に並べて設けられた複数の延出部１６ｄを有する。但し、延出部１６ｄの数は、任意の数でよい。
【００８１】
取付部１６ｅは、機器本体１２に取り付けられる。取付部材１６は、照明１４を支持した状態で、取付部１６ｅを介して機器本体１２に取り付けられる。取付部１６ｅは、延出部１６ｄに設けられている。取付部材１６は、例えば、複数の延出部１６ｄのそれぞれに設けられた複数の取付部１６ｅを有する。例えば、１つの延出部１６ｄに対して複数の取付部１６ｅを設けてもよい。取付部１６ｅの数は、任意の数でよい。
【００８２】
取付部１６ｅは、例えば、延出部１６ｄに設けられた貫通孔である。取付部材１６は、例えば、貫通孔状の取付部１６ｅを介して機器本体１２の各支持体６２にネジ止めされることにより、機器本体１２に取り付けられる。但し、取付部材１６の機器本体１２への取付方法は、これに限ることなく、機器本体１２に取り付け可能な任意の方法でよい。
【００８３】
取付部材１６には、例えば、鉄、ステンレス、又はアルミニウムなどの金属材料が用いられる。取付部材１６は、遮光性を有する。取付部材１６は、照明１４から照射された光に対して光反射性を有する。これにより、取付部材１６は、照明１４から照射された光を下方のみに向けて出射させる。例えば、取付部材１６が光透過性を有する場合には、取付部材１６が、収納ケース７２の全体を覆ってもよい。
【００８４】
また、前述のように、収納ケース７２には、樹脂材料が用いられる。従って、取付部材１６の剛性は、収納ケース７２の剛性よりも高い。これにより、収納ケース７２を取付部材１６に支持させることで、樹脂材料からなる収納ケース７２を長尺状にした場合などにも、収納ケース７２の撓みを抑制することができる。例えば、収納ケース７２内に収納された発光部７０が、収納ケース７２の撓みによって破損してしまうことなどを抑制することができる。
【００８５】
図９に表したように、照明１４は、機器本体１２の下部に設けられる。照明１４は、取付部材１６を介して各支持体６２にネジ止めされることにより、機器本体１２の下部に取り付けられる。照明１４は、例えば、機器本体１２内に設けられる。機器本体１２の下側カバー６４は、開口部６４ａを有する。開口部６４ａは、下側カバー６４の下端部に設けられ、壁パネル５との間に隙間を形成する。取付部材１６は、下側カバー６４の開口部６４ａの上方に照明１４を配置する。照明１４は、機器本体１２内に取り付けられた状態において、開口部６４ａを介して下方に露出し、開口部６４ａを介して機器本体１２の下方に向かって光を照射する。
【００８６】
図１０（ａ）及び図１０（ｂ）は、実施形態に係る照明及び取付部材を模式的に表す説明図である。  
図１０（ａ）及び図１０（ｂ）に表したように、取付部材１６は、開口部１６ｆを有する。開口部１６ｆは、取付部材１６の左右方向の一端側に設けられている。開口部１６ｆは、第１側面部１６ａ及び第２側面部１６ｂに収納ケース７２を係合させながら、第１側面部１６ａと第２側面部１６ｂとの間に収納ケース７２を挿入可能とする。このように、照明１４は、左右方向にスライドさせ、開口部１６ｆから第１側面部１６ａと第２側面部１６ｂとの間に挿し込むことにより、取付部材１６に取り付けられる。
【００８７】
図１１は、実施形態に係る照明及び取付部材を模式的に表す断面図である。  
図１１は、図１０（ｂ）のＣ１−Ｃ２線断面を模式的に表す。  
図１０（ａ）、図１０（ｂ）、及び図１１に表したように、配線８４が挿通されたキャップ７４は、照明１４の機器本体１２に対する左右方向への移動を規制するための被規制部７４ｅを有する。取付部材１６は、被規制部７４ｅとともに照明１４の機器本体１２に対する左右方向への移動を規制する規制部１６ｇを有する。
【００８８】
規制部１６ｇは、例えば、被規制部７４ｅと係合することにより、照明１４の左右方向への移動を規制する。これにより、取付部材１６が機器本体１２に取り付けられた状態においては、被規制部７４ｅと規制部１６ｇとの係合により、照明１４の機器本体１２に対する左右方向への移動が規制される。また、取付部材１６は、左右方向に対しては、被規制部７４ｅと規制部１６ｇとの部分でのみ、照明１４と係合する。配線８４が挿通されていないキャップ７６は、機器本体１２に対して左右方向に固定されていない。これにより、例えば、熱膨張によって収納ケース７２が左右方向に延びた場合などに、その延び分をキャップ７４と反対の端部側（キャップ７６側）に逃がすことができる。
【００８９】
被規制部７４ｅは、キャップ７４の表面から突出した凸部である。この例において、キャップ７４は、２つの被規制部７４ｅを有する。一方の被規制部７４ｅは、キャップ７４の前面から前方に向かって突出する。他方の被規制部７４ｅは、キャップ７４の後面から後方に向かって突出する。
【００９０】
規制部１６ｇは、凸部である被規制部７４ｅと係合して照明１４の機器本体１２に対する左右方向への移動を規制する凹部である。規制部１６ｇは、例えば、貫通孔状である。この例において、取付部材１６は、キャップ７４の２つの被規制部７４ｅに対応する２つの規制部１６ｇを有する。一方の規制部１６ｇは、第１側面部１６ａに設けられ、キャップ７４の前面に設けられた被規制部７４ｅと係合する。他方の規制部１６ｇは、第２側面部１６ｂに設けられ、キャップ７４の後面に設けられた被規制部７４ｅと係合する。
【００９１】
凸部である被規制部７４ｅと凹部である規制部１６ｇとが係合した状態において、被規制部７４ｅと規制部１６ｇとの間には、上下方向の空隙ＧＰが設けられている。より詳しくは、被規制部７４ｅと規制部１６ｇとが係合した状態において、被規制部７４ｅの上端と規制部１６ｇの上端との間には、上下方向の空隙ＧＰが設けられている。規制部１６ｇの上端は、換言すれば、凹部（貫通孔）の天井面である。
【００９２】
被規制部７４ｅの上下方向の長さは、規制部１６ｇの上下方向の長さよりも短い。これにより、被規制部７４ｅと規制部１６ｇとの間に、空隙ＧＰを設けることができる。空隙ＧＰの上下方向の長さは、例えば、２ｍｍ（１ｍｍ以上４ｍｍ以下）である。規制部１６ｇ及び被規制部７４ｅの構成は、上記に限ることなく、照明１４の左右方向への移動を規制可能な任意の構成でよい。
【００９３】
以上、説明したように、本実施形態に係る水栓装置１０では、配線８４が挿通されたキャップ７４が、照明１４の機器本体１２に対する左右方向への移動を規制するための被規制部７４ｅを有し、配線８４が挿通されていないキャップ７６が、機器本体１２に対して左右方向に固定されていないので、発光素子８２の熱などによって収納ケース７２自体が膨張してしまった場合にも、この熱膨張による収納ケース７２の延長量を、収納ケース７２の配線８４が挿通されていないキャップ７６側に逃がすことができる。すなわち、発光素子８２の熱などによって収納ケース７２自体が膨張した場合にも、収納ケース７２やキャップ７４に意図しない力が加わることを抑制することができ、収納ケース７２の密閉性を保った状態で、この熱膨張による応力発生を抑制することができる。従って、複数の発光素子８２及び基板８０を収納ケース７２内に収納した照明１４を取り付ける場合にも、収納ケース７２の熱膨張の影響を抑制し、収納ケース７２の密閉性を保つことができる水栓装置１０（水回り機器）を提供することができる。また、照明１４の機器本体１２に対する左右方向への移動を規制できるようにすることで、照明１４の位置ズレなどを抑制することもできる。
【００９４】
また、水栓装置１０では、収納ケース７２を機器本体１２に取り付ける取付部材１６に設けられた規制部１６ｇと被規制部７４ｅとによって照明１４の左右方向への移動を規制することで、収納ケース７２の熱膨張の影響を抑制し、収納ケース７２の密閉性を保つことができつつも、しっかりと照明１４の荷重を支持した状態で、照明１４を機器本体１２に取り付けることができる。
【００９５】
また、規制部１６ｇと被規制部７４ｅとによって照明１４の左右方向への移動を規制することにより、例えば、照明１４を取付部材１６に取り付けた状態で照明１４及び取付部材１６を機器本体１２に取り付ける際や、照明１４を取付部材１６に取り付けた状態で輸送する際などに、照明１４が取付部材１６から抜け落ちてしまうことを抑制することができる。
【００９６】
また、水栓装置１０では、被規制部７４ｅが、配線８４が挿通されたキャップ７４の表面から突出した凸部であり、規制部１６ｇが、凸部と係合して照明１４の機器本体１２に対する左右方向への移動を規制する凹部である。これにより、例えばネジなどを用いて照明１４の左右方向への移動を規制する場合などと比べて、部品点数を少なくすることができ、且つ施工性を向上させることができる。さらには、ネジなどで固定する場合と比べて、左右方向への移動の規制に遊びを持たせることができ、キャップ７４自体の熱膨張の影響なども抑制することができる。
【００９７】
また、水栓装置１０では、凸部である被規制部７４ｅと凹部である規制部１６ｇとが係合した状態において、被規制部７４ｅと規制部１６ｇとの間に、上下方向の空隙ＧＰが設けられている。これにより、収納ケース７２やキャップ７４の上下方向の熱膨張の影響も適切に抑制することができる。
【００９８】
また、水栓装置１０では、取付部材１６が、収納ケース７２の上面を覆う上面部１６ｃと、上面部１６ｃから上方に向かって延出した延出部１６ｄと、を有し、取付部１６ｅが、延出部１６ｄに設けられている。これにより、取付部材１６の前方側や後方側に取付部１６ｅを設ける場合と比べて、照明１４及び取付部材１６の取り付けの自由度を高めることができる。
【００９９】
例えば、取付部材１６の前方側に取付部１６ｅを設け、取付部材１６の右側にキャップ７４を配置した場合に、キャップ７４を機器本体１２に対して左側に向けると、取付部１６ｅが後方を向いてしまうことになる。このため、この場合には、キャップ７４を機器本体１２に対して右側にしか取り付けることができなくなってしまう。例えば、キャップ７４を右向きに取り付けるための取付部材１６と、キャップ７４を左向きに取り付けるための取付部材１６とを用意しなければならず、製造コストの増加などを招いてしまう。これに対して、上方に向かって延出した延出部１６ｄに取付部１６ｅを設けた場合には、キャップ７４を右向きに向けた場合にも左向きに向けた場合にも、取付部１６ｅは常に上方に位置しているため、キャップ７４を機器本体１２に対して右向きにも左向きにも取り付けることが可能となる。このように、キャップ７４を機器本体１２に対して右側に配置したい場合にも左側に配置したい場合にも、照明１４及び取付部材１６を共通に用いることができ、製造コストの削減などを図ることができる。
【０１００】
図１２は、実施形態に係る水栓装置の変形例を模式的に表す説明図である。  
なお、上記実施形態と機能・構成上実質的に同じものについては、同符号を付し、詳細な説明は省略する。  
図１２に表したように、この例では、取付部材１６が省略され、照明１４を支持する支持部６２ａが、支持体６２に設けられている。支持部６２ａは、例えば、照明１４を挿通可能な断面略Ｕ字状に形成され、前後方向及び下方への移動を係合によって規制した状態で、照明１４を支持する。
【０１０１】
支持部６２ａは、例えば、複数の支持体６２のうちの、照明１４の両端付近に位置する２つの支持体６２に設けられる。一方の支持部６２ａは、例えば、照明１４のキャップ７４の部分を支持する。他方の支持部６２ａは、例えば、照明１４のキャップ７６の部分を支持する。このように、複数の支持体６２は、例えば、照明１４の両端部分のみを支持し、収納ケース７２の部分を露出させる。これにより、発光部７０から照射され、収納ケース７２を透過した光を、機器本体１２の下方に向けて照射することができる。
【０１０２】
キャップ７４の部分を支持する支持部６２ａは、被規制部７４ｅとともに照明１４の機器本体１２に対する左右方向への移動を規制する規制部６２ｂを有する。被規制部７４ｅは、例えば、凸部であり、規制部６２ｂは、例えば、凹部である。
【０１０３】
このように、照明１４は、取付部材１６を用いることなく、機器本体１２の支持体６２などに直接的に取り付けてもよい。取付部材１６は、必要に応じて設けられ、省略可能である。
【０１０４】
上記実施形態では、被規制部７４ｅを他の部材に係合させることによって、照明１４の左右方向の移動を規制している。被規制部７４ｅによる照明１４の左右方向の移動の規制は、係合に限ることなく、例えば、ネジ止めなどでもよい。被規制部７４ｅは、ネジ止めによって照明１４の左右方向の移動を規制するネジ孔などでもよい。このように、被規制部７４ｅの構成は、照明１４の左右方向の移動を規制可能な任意の構成でよい。
【０１０５】
上記実施形態では、水回り機器の一例として水栓装置１０を示している。水回り機器は、水栓装置１０に限ることなく、前述のように、洗面カウンター２０でもよいし、浴室２に設置して使用される他の機器でもよい。
【０１０６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室２や水栓装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０７】
２ 浴室、  ３ 浴槽、  ４ 洗い場床、  ５ 壁パネル、  １０ 水栓装置（水回り機器）、  １２ 機器本体、  １４ 照明、  １６ 取付部材、  ２０ 洗面カウンター（水回り機器）、  ２２ 機器本体、  ２４ 照明、  ４１ 吐水部、  ４２ シャワー接続口、  ４３ 吐水口操作部、  ４４ シャワー操作部、  ４５ 温度調節部、  ４６ 流量調節部、  ４７、４８ 止水栓、  ５０ ホース、  ５２ シャワーヘッド、  ６０ 天板、  ６２ 支持体、  ６４ 下側カバー、  ７０ 発光部、  ７２ 収納ケース、  ７４、７６ キャップ、  ７８ 放熱板、  ８０ 基板、  ８２ 発光素子、  ８４ 配線、  ８６ 配線保護管、  ８８ 接続部材、  ９０、９２ ホースバンド、  ９４ 虫侵入抑制部材、  ９６ 制御部
【図１】
2019122469.tif 000003
【図２】
2019122469.tif 000004
【図３】
2019122469.tif 000005
【図４】
2019122469.tif 000006
【図５】
2019122469.tif 000007
【図６】
2019122469.tif 000008
【図７】
2019122469.tif 000009
【図８】
2019122469.tif 000010
【図９】
2019122469.tif 000011
【図１０】
2019122469.tif 000012
【図１１】
2019122469.tif 000013
【図１２】
2019122469.tif 000014